(57)【要約】  【課題】非常に優れた熱交換性能を維持しながら、非常に製造容易な構造で、安価でかつ信頼性の高い熱交換器を提供する。  【解決手段】基板５と基板５の表面に略垂直に設けられた複数の多穴管６とからブロック３が構成され、多穴管６は管内に複数の流路４を持ち、基板５の背面５’には流路４が背面５’まで貫通することで構成される貫通穴４’が複数設けられ、多穴管６の先端６’の流路４が隣接するブロック３の背面５’の貫通穴４’と接続するようにブロック３が複数積層された熱交換器であり、ブロック３を積層することで微細な流路４を多数備えた熱交換器を容易に構成することができるので、長くて細い管を使用する必要はなく、同時に管を並べる必要もないので、熱交換器を非常に安価でかつ簡単な工程で製造できる。【選択図】図４
2006162126.tif 000002
【特許請求の範囲】
【請求項１】
基板と前記基板の表面に略垂直に設けられた複数の多穴管とからブロックが構成され、前記多穴管は管内に複数の流路を持ち、前記基板の背面には前記流路が前記背面まで貫通することで構成される貫通穴が複数設けられ、前記多穴管の先端の前記流路が隣接する前記ブロックの背面の前記貫通穴と接続するように前記ブロックが複数積層された熱交換器。
【請求項２】
前記多穴管は断面形状を偏平状とし、管内の前記流路は長辺方向に配列されるとともに、前記多穴管は前記多穴管相互で長辺方向が平行となるように間隔を空けて前記基板上に配列される請求項１に記載の熱交換器。
【請求項３】
前記背面に前記多穴管の先端の断面形状とほぼ同じ形状の凹みを設け、前記凹みに隣接する前記ブロックの前記多穴管の先端を挿入した請求項１または２に記載の熱交換器。
【請求項４】
内部に空間を持つヘッダーを積層された前記ブロックの両外側に設け、両端の前記基板が前記ヘッダーの一部を構成する請求項１から３のいずれか一項に記載の熱交換器。
【請求項５】
前記基板の平面方向を重力方向に配置した請求項１から４のいずれか一項に記載の熱交換器。
【請求項６】
前記空間内の前記多穴管の突出長さを不均一にした請求項４に記載の熱交換器。
【請求項７】
前記ブロックを射出成形またはプレス成形により成形した請求項１から６のいずれか一項に記載の熱交換器の製造方法。
【請求項８】
前記多穴管の先端と隣接する前記ブロックの前記背面を溶着または拡散接合により接合した請求項１から６のいずれか一項に記載の熱交換器の製造方法。
【発明の詳細な説明】
【技術分野】
【０００１】
本発明は冷却システム、放熱システムや加熱システム等用の熱交換器に関するもので、特に情報機器などコンパクト性を要求されるシステムで使用される液体と気体の熱交換器及びその製造方法に関するものである。
【背景技術】
【０００２】
従来、この種の熱交換器としては、管とフィンとから構成されたものが一般的であるが、近年はそのコンパクト化を図るために、管径及び管ピッチを小さくし、管を高密度化する傾向にある。その極端な形態としては、管外径が０．５ｍｍ程度の非常に細い管のみから熱交換部が構成されたものがある（例えば、特許文献１参照）。
【０００３】
図８は、特許文献１に記載された従来の熱交換器の正面図である。
【０００４】
図８に示すように、従来の熱交換器は、所定間隔を置いて対向配置される入口タンク３１と出口タンク３２と、入口タンク３１と出口タンク３２の間に断面円環の複数の管３３が配置され、管３３の外部を外部流体が流通されるコア部３４が構成されている。
【０００５】
そして、管３３を正方形の碁盤目状に配置するとともに、管３３の外径を０．２ｍｍ以上０．８ｍｍ以下とし、隣接する管３３のピッチを管外径で除した値を０．５以上３．５以下とすることで、使用動力に対する熱交換量を大幅に向上できるとしている。
【特許文献１】特開２００１−１１６４８１号公報
【発明の開示】
【発明が解決しようとする課題】
【０００６】
上記従来の熱交換器を構成する具体的な要素や製造方法については示されていないが、一般的には、多数の細い管３３と、特定の面に多数の細かい円孔を予め空けた入口タンク３１と出口タンク３２を用意し、入口タンク３１及び出口タンク３２の円孔に管３３の両端を挿入し、溶接等によって管３３の挿入部を入口タンク３１及び出口タンク３２に接着する方法が考えられる。しかしながら、長くて細い管３３は非常に高価であるばかりでなく、入口タンク３１や出口タンク３２に管３３の挿入用の微細な円孔を所定の微細なピッチで設けることと、非常に多くの管３３を入口タンク３１や出口タンク３２に挿入し接着する工程が非常に困難であり、熱交換性能が高くても、非常に高価でかつ洩れに対する信頼性が低いものになるという課題を有していた。
【０００７】
本発明は、上記従来の課題を解決するもので、非常に優れた熱交換性能を保持しながら、非常に製造が容易な構造で、安価で、かつ信頼性の高い熱交換器を提供することを目的とする。
【課題を解決するための手段】
【０００８】
上記従来の課題を解決するために、本発明の熱交換器は、基板と前記基板の表面に略垂直に設けられた複数の多穴管とからブロックが構成され、前記多穴管は管内に複数の流路を持ち、前記基板の背面には前記流路が前記背面まで貫通することで構成される貫通穴が複数設けられ、前記多穴管の先端の前記流路が隣接する前記ブロックの背面の前記貫通穴と接続するように前記ブロックが複数積層されたものである。
【０００９】
かかる構成により、ブロックを積層することで微細な流路を多数備えた熱交換器を容易に構成することができるので、長くて細い管を使用する必要はなく、同時に管を並べる必要もない。
【００１０】
また本発明は、前記多穴管は断面形状を偏平状とし、管内の前記流路は長辺方向に配列されるとともに、前記多穴管は前記多穴管相互で長辺方向が平行となるように間隔を空けて前記基板上に配列されるものである。
【００１１】
かかる構成により、多穴管を薄くすることができるので、多穴管相互の間の管外流路を大きく取ることができる。
【００１２】
また本発明は、前記背面に前記多穴管の先端の断面形状とほぼ同じ形状の凹みを設け、前記凹みに隣接する前記ブロックの前記多穴管の先端を挿入したものである。
【００１３】
かかる構成により、多穴管の挿入しろを設けることで多穴管相互の接続を確実にできるとともに、多穴管先端の挿入長さを規定することができる。
【００１４】
また本発明は、内部に空間を持つヘッダーを積層された前記ブロックの両外側に設け、両端の前記基板が前記ヘッダーの一部を構成するものである。
【００１５】
かかる構成により、ブロックを利用してヘッダーを構成できるので、ヘッダーに多穴管挿入用の長穴を設けたり、多穴管をヘッダーに挿入し接着したりする必要がない。
【００１６】
また本発明は、前記基板の平面方向を重力方向に配置したものである。
【００１７】
かかる構成により、基板上での埃の堆積や結露水の滞留を防ぐことができる。
【００１８】
また本発明は、前記空間内の前記多穴管の突出長さを不均一にしたものである。
【００１９】
かかる構成により、管内を流れる流体の流量比率を調整することができる。
【００２０】
また本発明は、前記ブロックを射出成形またはプレス成形により成形した熱交換器の製造方法である。
【００２１】
かかる製造方法により、ブロックを同一形状で大量に速く加工できる。
【００２２】
また本発明は、前記多穴管の先端と隣接する前記ブロックの前記背面を溶着または拡散接合により接合した熱交換器の製造方法である。
【００２３】
かかる製造方法により、ロウ材や接着剤等の異種材料を使用しないので、不純物の析出等を防ぐことができる。
【発明の効果】
【００２４】
本発明の熱交換器は、長くて細い管を使用する必要はなく、同時に管を並べる必要もないので、熱交換器を非常に安価でかつ簡単な工程で製造できる。
【００２５】
また本発明の熱交換器は、多穴管を薄くすることで多穴管相互の間の管外流路を大きく取ることができるので、管外を流れる流体の流動抵抗を抑えることができる。
【００２６】
また本発明の熱交換器は、多穴管の挿入しろを設けることで多穴管相互の接続を確実にできるので、洩れに対する信頼性を確保することができるとともに、多穴管先端の挿入長さを規定することができるので、熱交換器の反りや歪みを抑えることができる。
【００２７】
また本発明の熱交換器は、ヘッダーに多穴管挿入用の長穴を設けたり、多穴管をヘッダーに挿入し接着したりする必要がないので、少ない工程で製造できるとともに、ヘッダーでの洩れに対する信頼性を確保することができる。
【００２８】
また本発明の熱交換器は、基板上での埃の堆積や結露水の滞留を抑えることができるので、管外を流れる流体の流動抵抗の経時的な増大を抑えることができる。
【００２９】
また本発明の熱交換器は、管内を流れる流体の流量比率を調整することができるので、管外を流れる流体の速度分布や温度分布に応じて熱交換量の分布を最適化することができる。
【００３０】
また本発明の熱交換器の製造方法は、ブロックを同一形状で大量に速く加工できるので、品質が安定し、加工費を抑えることができる。
【００３１】
また本発明の熱交換器の製造方法は、ロウ材や接着剤等の異種材料を使用しないので、不純物の析出等を防ぐことができ、安全性を高めることができる。
【発明を実施するための最良の形態】
【００３２】
請求項１に記載の発明は、基板と前記基板の表面に略垂直に設けられた複数の多穴管とからブロックが構成され、前記多穴管は管内に複数の流路を持ち、前記基板の背面には前記流路が前記背面まで貫通することで構成される貫通穴が複数設けられ、前記多穴管の先端の前記流路が隣接する前記ブロックの背面の前記貫通穴と接続するように前記ブロックが複数積層された熱交換器であり、ブロックを積層することで微細な流路を多数備えた熱交換器を容易に構成することができるので、長くて細い管を使用する必要はなく、同時に管を並べる必要もないないので、熱交換器を非常に安価でかつ簡単な工程で製造できる。
【００３３】
請求項２に記載の発明は、請求項１に記載の発明の熱交換器において、前記多穴管は断面形状を偏平状とし、管内の前記流路は長辺方向に配列されるとともに、前記多穴管は前記多穴管相互で長辺方向が平行となるように間隔を空けて前記基板上に配列されるものであり、多穴管を薄くすることができるので多穴管相互の間の管外流路を大きく取ることができ、管外を流れる流体の流動抵抗を抑えることができる。
【００３４】
請求項３に記載の発明は、請求項１または２に記載の発明の熱交換器において、前記背面に前記多穴管の先端の断面形状とほぼ同じ形状の凹みを設け、前記凹みに隣接する前記ブロックの前記多穴管の先端を挿入したものであり、多穴管の挿入しろを設けることで多穴管相互の接続を確実にできるので、洩れに対する信頼性を確保することができるとともに、多穴管先端の挿入長さを規定することができるので、熱交換器の反りや歪みを抑えることができる。
【００３５】
請求項４に記載の発明は、請求項１から３のいずれか一項に記載の発明の熱交換器において、内部に空間を持つヘッダーを積層された前記ブロックの両外側に設け、両端の前記基板が前記ヘッダーの一部を構成するものであり、ヘッダーに多穴管挿入用の長穴を設けたり、多穴管をヘッダーに挿入し接着したりする必要がないので、少ない工程で製造できるとともに、ヘッダーでの洩れに対する信頼性を確保することができる。
【００３６】
請求項５に記載の発明は、請求項１から４のいずれか一項に記載の発明の熱交換器において、基板の平面方向を重力方向に配置したものであり、基板上での埃の堆積や結露水の滞留を抑えることができるので、管外を流れる流体の流動抵抗の経時的な増大を抑えることができる。
【００３７】
請求項６に記載の発明は、請求項４に記載の発明の熱交換器において、前記ヘッダーの前記空間内の前記多穴管の突出長さを不均一にしたものであり、管内を流れる流体の流量比率を調整することができるので、管外を流れる流体の速度分布や温度分布に応じて熱交換量の分布を最適化することができる。
【００３８】
請求項７に記載の発明は、請求項１から６のいずれか一項に記載の発明の熱交換器の製造方法において、前記ブロックを射出成形またはプレス成形により成形したものであり、ブロックを同一形状で大量に速く加工できるので、品質が安定し、加工費が安くなる。
【００３９】
請求項８に記載の発明は、請求項１から６のいずれか一項に記載の発明の熱交換器の製造方法において、前記多穴管の先端と隣接する前記ブロックの前記背面を溶着または拡散接合により接合したものであり、ロウ材や接着剤等の異種材料を使用しないので、不純物の析出等を防ぐことができ、安全性を高めることができる。
【００４０】
以下、本発明の実施の形態について、図面を参照しながら説明する。なお、この実施の形態によってこの発明が限定されるものではない。
【００４１】
（実施の形態１）
図１は、本発明の実施の形態１の熱交換器の正面図、図２は、同実施の形態の熱交換器の上面図、図３は図１のＡ−Ａ線断面図、図４は図２のＢ−Ｂ線断面図を示すものである。また図５は同実施の形態の熱交換器のブロックの正面図、図６は同実施の形態の熱交換器のブロックの側面図、図７は図４の部分拡大図である。
【００４２】
図１から図７において、熱交換器は、熱交換部１と熱交換部１の両端のヘッダー２ａと２ｂから構成される。熱交換部１は、基板５の平面方向が重力方向となるように複数のブロック３を水平方向に積層して構成されている。ブロック３は、基板５と基板５の表面に略垂直に設けられた複数の多穴管６とから構成され、多穴管６は管内に複数の流路４を持ち、基板５の背面５’には流路４が背面５’まで貫通することで構成される貫通穴４’が複数設けられている。また、多穴管６は断面形状を偏平状とし、管内の流路４は長辺方向に配列されるとともに、多穴管６は相互で長辺方向が平行となるように間隔を空けて基板５上に配列されている。また基板５の背面５’には、多穴管６の断面形状とほぼ同じ偏平状の凹み７が設けられている。そして、図７に示すように、凹み７に隣接するブロック３の多穴管６の先端６’を挿入することで、基板５の背面５’の貫通穴４’と隣接するブロック３の多穴管６の流路４とが連通するように積層されている。ヘッダー２ａは内部に空間８ａと流入管９を備えるとともに、隣接するブロック３ａの基板５ａがヘッダー２ａの一部を構成し、またブロック３ａの多穴管６ａは流入管９から離れるにしたがって空間８ａへの突出長さが大きくなっている。ヘッダー２ｂは内部に空間８ｂと流出管１０を備えるとともに、隣接するブロック３ｂの基板５ｂがヘッダー２ｂの一部を構成する。
【００４３】
以上のように構成された熱交換器では、多穴管６の流路４を流れる流体Ａと多穴管６の外部を流れる流体Ｂとが多穴管６を介して熱交換する。流体Ａの具体例としては水や冷媒、流体Ｂの具体例としては空気やガスなどが考えられる。また流体Ａは、流入管９からヘッダー２ａの空間８ａに流入し、空間８ａに接続されている複数の多穴管６の流路４を分岐して流れる。多穴管６の流路４を流れた流体Ａはヘッダー２ｂの空間８ｂで合流した後、流出管１０から流出する。この際、この熱交換器では多穴管６を備えたブロック３を積層することで流路４が碁盤目状に配列された熱交換部１を構成するので、非常に細い流路４を非常に高密度に配列することができ、流体Ａや流体Ｂが接する多穴管６の伝熱面積を非常に大きくすることができるので、非常に高能力でコンパクトな熱交換器を実現することができる。
【００４４】
以上のように、本実施の形態においては、基板５と基板５の表面に略垂直に設けられた複数の多穴管６とからブロック３が構成され、多穴管６は管内に複数の流路４を持ち、基板５の背面５’には流路４が背面５’まで貫通することで構成される貫通穴４’が複数設けられ、多穴管６の先端６’の流路４が隣接するブロック３の背面５’の貫通穴４’と接続するようにブロック３が複数積層された熱交換器であり、ブロック３を積層することで微細な流路４を多数備えた熱交換器を容易に構成することができるので、長くて細い管を使用する必要はなく、同時に管を並べる必要もないないので、熱交換器を非常に安価でかつ簡単な工程で製造できる。
【００４５】
また多穴管６は断面形状を偏平状とし、管内の流路４は長辺方向に配列されるとともに、多穴管６は多穴管６相互で長辺方向が平行となるように間隔を空けて基板５上に配列されるものであり、多穴管６を薄くすることができるので多穴管６相互の間の管外流路を大きく取ることができ、管外を流れる流体の流動抵抗を抑えることができる。
【００４６】
また背面５’に多穴管６の先端６’の断面形状とほぼ同じ形状の凹み７を設け、凹み７に隣接するブロック３の多穴管６の先端６’を挿入したものであり、多穴管６の挿入代を設けることで多穴管６相互の接続を確実にできるので、洩れに対する信頼性を確保することができるとともに、多穴管６の先端６’の挿入長さを規定することができるので、熱交換器の反りや歪みを抑えることができる。
【００４７】
また内部に空間８ａ、８ｂを持つヘッダー２ａ、２ｂを積層されたブロック３の両外側に設け、両端の基板５がヘッダー２ａ、２ｂの一部を構成するものであり、ヘッダー２ａ、２ｂに多穴管６挿入用の長穴を設けたり、多穴管６をヘッダー２ａ、２ｂに挿入し接着したりする必要がないので、少ない工程で製造できるとともに、ヘッダー２ａ、２ｂでの洩れに対する信頼性を確保することができる。
【００４８】
また基板５の平面方向を重力方向に配置したものであり、基板５上での埃の堆積や結露水の滞留を抑えることができるので、管外を流れる流体の流動抵抗の経時的な増大を抑えることができる。
【００４９】
またヘッダー２ａの空間８ａ内の前記多穴管６の突出長さを不均一にしたものであり、管内を流れる流体の流量比率を調整することができるので、管外を流れる流体の速度分布や温度分布に応じて熱交換量の分布を最適化することができる。
【００５０】
またブロック３を射出成形またはプレス成形により成形したものであり、ブロック３を同一形状で大量に速く加工できるので、品質が安定し、加工費が安くなる。
【００５１】
さらには多穴管６の先端６’と隣接するブロック３の背面５’を溶着または拡散接合により接合したものであり、ロウ材や接着剤等の異種材料を使用しないので、不純物の析出等を防ぐことができ、安全性を高めることができる。
【００５２】
なお本実施の形態１の熱交換器では流路４を円形状としたが、流路４は楕円形状や矩形形状としても良い。
【産業上の利用可能性】
【００５３】
以上のように、本発明にかかる熱交換器は、非常に優れた熱交換性能を、非常に製造が容易な構造で、かつ安価に実現でき、冷凍冷蔵機器や空調機器用の熱交換器や、廃熱回収機器等の用途にも適用できる。
【図面の簡単な説明】
【００５４】
【図１】本発明の実施の形態１における熱交換器の正面図
【図２】同実施の形態の熱交換器の上面図
【図３】図１のＡ−Ａ線断面図
【図４】図２のＢ−Ｂ線断面図
【図５】同実施の形態の熱交換器のブロックの正面図
【図６】同実施の形態の熱交換器のブロックの側面図
【図７】図４の部分拡大図
【図８】従来の熱交換器の正面図
【符号の説明】
【００５５】
２ａ、２ｂ  ヘッダー
３、３ａ、３ｂ  ブロック
４    流路
４’  貫通穴
５    基板
５’  背面
６    多穴管
６’  先端
７    凹み
【図１】
2006162126.tif 000003
【図２】
2006162126.tif 000004
【図３】
2006162126.tif 000005
【図４】
2006162126.tif 000006
【図５】
2006162126.tif 000007
【図６】
2006162126.tif 000008
【図７】
2006162126.tif 000009
【図８】
2006162126.tif 000010